(57)【要約】      （修正有）【課題】持ち運びができ、軽くて薄い鏡を提供する。【解決手段】鏡１０は、外部から入射された光を反射し、像を写す鏡面部１１と、前記鏡面部１１と同じ側に設けられ、発光ダイオードにより発光する発光部１２と、前記発光ダイオードと厚さが１ｍｍ以下の薄型電池との電気的な接続を可能とする電池接続部と、を有することを特徴とする。前記電池接続部に前記薄型電池を接続するのが好ましく、前記薄型電池の配置位置を前記発光ダイオードの裏面とするのが好ましく、前記発光ダイオードが、有機発光ダイオードであるのが好ましく、前記有機発光ダイオードが、フレキシブル性を有するのが好ましい。【選択図】図１Ｃ
2015092991.tif 000002
【特許請求の範囲】
【請求項１】
外部から入射された光を反射し、像を写す鏡面部と、
前記鏡面部と同じ側に設けられ、発光ダイオードにより発光する発光部と、
前記発光ダイオードと厚さが１ｍｍ以下の薄型電池との電気的な接続を可能とする電池接続部と、
を有することを特徴とする鏡。
【請求項２】
前記電池接続部に前記薄型電池を接続したことを特徴とする請求項１に記載の鏡。
【請求項３】
前記薄型電池の配置位置を前記発光ダイオードの裏面としたことを特徴とする請求項１又は請求項２に記載の鏡。
【請求項４】
前記発光ダイオードが、有機発光ダイオードであることを特徴とする請求項１から請求項３のいずれか１項に記載の鏡。
【請求項５】
前記有機発光ダイオードが、フレキシブル性を有していることを特徴とする請求項１から請求項４のいずれか１項に記載の鏡。
【請求項６】
前記発光ダイオードの色温度を調節する色温度調節手段を設けたことを特徴とする請求項１から請求項５のいずれか１項に記載の鏡。
【請求項７】
前記発光部が複数設けられていることを特徴とする請求項１から請求項６のいずれか１項に記載の鏡。
【請求項８】
前記薄型電池が、フレキシブル性を有していることを特徴とする請求項１から請求項７のいずれか１項に記載の鏡。
【請求項９】
前記薄型電池は、リチウムイオン二次電池であり、
正極の活物質がＭｎを含み、
正極と負極の少なくとも一方の電極の活物質層に柔軟剤を含み、
前記リチウムイオン二次電池の内部の減圧度が１００〜１０００Ｐａであることを特徴とする請求項１から請求項８のいずれか１項に記載の鏡。
【請求項１０】
前記柔軟剤が、アクリル系重合体及びジエン系重合体であることを特徴とする請求項９に記載の鏡。
【請求項１１】
前記薄型電池は、リチウムイオン一次電池であり、
正極の活物質がＭｎを含み、
正極と負極の少なくとも一方の電極の活物質層に柔軟剤を含み、
前記リチウムイオン二次電池の内部の減圧度が１００〜１０００Ｐａであることを特徴とする請求項１から請求項８のいずれか１項に記載の鏡。
【請求項１２】
前記発光ダイオードと、前記薄型電池と、を貼り合せにより接合することを特徴とする請求項１から請求項１１のいずれか１項に記載の鏡。
【請求項１３】
前記発光ダイオードの一方の面に前記薄型電池を積層することを特徴とする請求項１から請求項１１のいずれか１項に記載の鏡。
【発明の詳細な説明】
【技術分野】
【０００１】
本発明は、照明装置が付いた鏡に関する。
【背景技術】
【０００２】
暗いところでも身だしなみを整えたり、化粧を行ったりすることができるようにするため、照明装置が付いた鏡が提案されている。そのような鏡に関する発明が、例えば、特許文献１、２に提案されている。
【０００３】
特許文献１には、透明基板と、透明基板上のほぼ全面に形成された透明導電層と、透明導電層の周縁部に絶縁溝を介して区画形成された透明な透明電極とを備えている照明装置付き鏡（以下、単に「鏡」という。）が記載されている。かかる鏡においては、この透明導電層の全面及び絶縁溝と対応する部分上に有機ＥＬ層が形成され、さらにこの有機ＥＬ層上に鏡面状の金属電極が形成されている。また、この金属電極より外側に有機ＥＬ層を保護する絶縁性の保護膜が設けられている。
【０００４】
また、特許文献２には、ミラーと、このミラーの回りに配置した複数の発光ダイオードと、この発光ダイオードの前面側に配置された光透過性のカバーとで鏡本体を構成している照明付き鏡（以下、単に「鏡」という。）が記載されている。
【先行技術文献】
【特許文献】
【０００５】
【特許文献１】特開２００５−１７３０３６号公報
【特許文献２】特開２００８−７３１７４号公報
【発明の概要】
【発明が解決しようとする課題】
【０００６】
前記した特許文献１、２に記載の発明においては、鏡に設けられた照明（発光部）の電源として乾電池やボタン電池を用いたり、家庭用電源や車載用バッテリを用いたりする旨が記載されている。
しかしながら、これらの電源では、持ち運びができ、軽くて薄い鏡を提供することができないという問題があった。
【０００７】
本発明は前記問題に鑑みてなされたものであり、持ち運びができ、軽くて薄い鏡を提供することを課題とする。
【課題を解決するための手段】
【０００８】
本発明の課題は以下の手段によって達成される。
〔１〕外部から入射された光を反射し、像を写す鏡面部と、前記鏡面部と同じ側に設けられ、発光ダイオードにより発光する発光部と、前記発光ダイオードと厚さが１ｍｍ以下の薄型電池との電気的な接続を可能とする電池接続部と、を有することを特徴とする鏡。
〔２〕前記電池接続部に前記薄型電池を接続したことを特徴とする前記〔１〕に記載の鏡。
〔３〕前記薄型電池の配置位置を前記発光ダイオードの裏面としたことを特徴とする前記〔１〕又は〔２〕に記載の鏡。
〔４〕前記発光ダイオードが、有機発光ダイオードであることを特徴とする前記〔１〕から〔３〕のいずれか１つに記載の鏡。
〔５〕前記有機発光ダイオードが、フレキシブル性を有していることを特徴とする前記〔１〕から〔４〕のいずれか１つに記載の鏡。
〔６〕前記発光ダイオードの色温度を調節する色温度調節手段を設けたことを特徴とする前記〔１〕から〔５〕のいずれか１つに記載の鏡。
〔７〕前記発光部が複数設けられていることを特徴とする前記〔１〕から〔６〕のいずれか１つに記載の鏡。
〔８〕前記薄型電池が、フレキシブル性を有していることを特徴とする前記〔１〕から〔７〕のいずれか１つに記載の鏡。
〔９〕前記薄型電池は、リチウムイオン二次電池であり、正極の活物質がＭｎを含み、正極と負極の少なくとも一方の電極の活物質層に柔軟剤を含み、前記リチウムイオン二次電池の内部の減圧度が１００〜１０００Ｐａであることを特徴とする前記〔１〕から〔８〕のいずれか１つに記載の鏡。
〔１０〕前記柔軟剤が、アクリル系重合体及びジエン系重合体であることを特徴とする前記〔９〕に記載の鏡。
〔１１〕前記薄型電池は、リチウムイオン一次電池であり、正極の活物質がＭｎを含み、正極と負極の少なくとも一方の電極の活物質層に柔軟剤を含み、前記リチウムイオン二次電池の内部の減圧度が１００〜１０００Ｐａであることを特徴とする前記〔１〕から〔８〕のいずれか１つに記載の鏡。
〔１２〕前記発光ダイオードと、前記薄型電池と、を貼り合せにより接合することを特徴とする前記〔１〕から〔１１〕のいずれか１つに記載の鏡。
〔１３〕前記発光ダイオードの一方の面に前記薄型電池を積層することを特徴とする前記〔１〕から〔１１〕のいずれか１つに記載の鏡。
【発明の効果】
【０００９】
本発明によれば、持ち運びができ、軽くて薄い鏡を提供することができる。
【図面の簡単な説明】
【００１０】
【図１Ａ】本発明の一実施形態に係る鏡を示す図であって、カバー部で鏡面部を閉じた状態を示す斜視図である。
【図１Ｂ】本発明の一実施形態に係る鏡を示す図であって、カバー部を開いて鏡面部を露出させた状態を示す斜視図である。
【図１Ｃ】本発明の一実施形態に係る鏡を示す図であって、カバー部を開いて鏡面部を露出させ、発光部を発光させた状態を示す斜視図である。
【図２】鏡面部と、発光部と、薄型電池と、の構成を説明する説明図である。
【図３Ａ】本発明の他の実施形態に係る鏡を示す図であって、カバー部で鏡面部を閉じた状態を示す斜視図である。
【図３Ｂ】本発明の他の実施形態に係る鏡を示す図であって、カバー部を開いて鏡面部を露出させた状態を示す斜視図である。
【図３Ｃ】本発明の他の実施形態に係る鏡を示す図であって、カバー部を開いて鏡面部を露出させ、発光部を発光させた状態を示す斜視図である。
【図４Ａ】本発明の他の実施形態に係る鏡を示す図であって、カバー部で鏡面部を閉じた状態を示す斜視図である。
【図４Ｂ】本発明の他の実施形態に係る鏡を示す図であって、カバー部を開いて鏡面部を露出させた状態を示す斜視図である。
【図４Ｃ】本発明の他の実施形態に係る鏡を示す図であって、カバー部を開いて鏡面部を露出させ、発光部を発光させた状態を示す斜視図である。
【図５Ａ】本発明の他の実施形態に係る鏡を示す図であって、カバー部で鏡面部を閉じた状態を示す斜視図である。
【図５Ｂ】本発明の他の実施形態に係る鏡を示す図であって、カバー部を開いて鏡面部を露出させた状態を示す斜視図である。
【図５Ｃ】本発明の他の実施形態に係る鏡を示す図であって、カバー部を開いて鏡面部を露出させ、発光部を発光させた状態を示す斜視図である。
【図６】薄型電池の構成を説明する断面図である。
【図７】ＬＥＤと、薄型電池と、を貼り合せにより接合した様子を示した断面図である。
【図８】ＬＥＤの裏面に薄型電池を積層した様子を示した断面図である。
【図９】フレキシブルに動作可能な照明装置が付いた本実施形態に係る鏡を示す斜視図である。
【図１０】フレキシブルに動作可能な照明装置が付いた本実施形態に係る鏡を用いた凹面鏡の断面図である。
【発明を実施するための形態】
【００１１】
以下、適宜図面を参照して、本発明を実施するための形態（実施形態）について詳細に説明する。なお、以下の説明において、表面とは、鏡面部が外部からの光を反射して像を写す側の面をいい、裏面とは、この表面の反対側の面をいう。
【００１２】
（鏡）
図１Ａから図１Ｃに示すように、本実施形態に係る鏡１０は、鏡面部１１と、発光部１２と、薄型電池６０（図１Ａから図１Ｃにおいて図示せず。図２参照。）と、を有する。本実施形態では、図２に示すように、鏡面部１１と、発光部１２と、薄型電池６０とは、一体的に構成されている。また、図１Ａから図１Ｃに示すように、本実施形態では、鏡面部１１を保護するカバー部１４が設けられている。なお、カバー部１４は任意に設けられる部材であり、設けなくてもよい。
【００１３】
（鏡面部）
鏡面部１１は、外部から入射された光を反射し、ここに像を写す。鏡面部１１は、例えば、透明ガラス板材や透明樹脂板材などの裏面、つまり、外気と接しない面（図２を参照すれば、ＬＥＤと接する面）にＡｇやＡｌなどの金属を蒸着やスパッタ等したものを用いることができる。
【００１４】
透明ガラス板材や透明樹脂板材は、後述する発光部１２の基材とすることもできる。
また、透明ガラス板材や透明樹脂板材の裏面に蒸着やスパッタ等したＡｇやＡｌなどの金属（金属層）は、後述する発光部１２の陽極又は陰極として機能させることもできる。
【００１５】
（発光部）
鏡面部１１と同じ側に設けられ、発光ダイオード（Ｌｉｇｈｔ  Ｅｍｉｔｔｉｎｇ  Ｄｉｏｄｅ：ＬＥＤ）により発光する。ＬＥＤは、二つの電極の間に半導体層（発光層）を有しており、当該発光層にて陰極から注入された電子と、陽極から注入された正孔と、が再結合することで発光する。
本実施形態においては、ＬＥＤとして、有機物質に電圧を印加することにより発光する現象を利用した有機発光ダイオード（Ｏｒｇａｎｉｃ  Ｌｉｇｈｔ−Ｅｍｉｔｔｉｎｇ  Ｄｉｏｄｅ：ＯＬＥＤ）を用いるのが好ましい。なお、かかる現象は、有機エレクトロルミネッセンス（Ｏｒｇａｎｉｃ  Ｅｌｅｃｔｒｏ−Ｌｕｍｉｎｅｓｃｅｎｃｅ：有機ＥＬやＯＥＬ）と呼ばれていることから、ＯＬＥＤは有機ＥＬ素子などと呼ばれることもある。
【００１６】
ＯＬＥＤは、発光層が有機化合物を含んで成るＬＥＤであり、有機化合物中に注入された電子と正孔の再結合によって発光する。ＯＬＥＤは、例えば、以下の（１）〜（５）に示す構成にて形成することができる。
【００１７】
（１）基材／陽極／正孔注入層／正孔輸送層／発光層／電子輸送層／陰極
（２）基材／陽極／正孔注入層／正孔輸送層／発光層／電子輸送層／電子注入層／陰極
（３）基材／陽極／正孔注入層／正孔輸送層／発光層／電子輸送層／正孔阻止層／陰極
（４）基材／陽極／正孔注入層／正孔輸送層／発光層／電子輸送層／電子注入層／正孔阻止層／陰極
（５）基材／陽極／正孔注入層／正孔輸送層／電子阻止層／発光層／電子輸送層／電子注入層／正孔阻止層／陰極
【００１８】
なお、前記した各構成においては、陽極から陰極までの各層の構成順序を入れ替えることもできる。例えば、前記（１）の場合、基材／陰極／電子輸送層／発光層／正孔輸送層／正孔注入層／陽極などとすることができる。
前記したそれぞれの層構成の各層の材料には、従来公知の材料を使用することができるが、以下にその具体例を幾つか説明する。
前記構成の陰極の上には、保護フィルムを形成することができる。
また、基材や保護フィルムの内面側に、ガスバリア膜を形成することもできる。
【００１９】
前記構成における基材としては、例えば、透明性又は半透明性を有するガラス材や樹脂材などを用いるのが好ましい。樹脂材を用いる場合、フレキシブル性を有する樹脂フィルムを使用するのが好ましい。そのような樹脂フィルムとしては、例えば、ポリエチレンテレフタレート（ＰＥＴ）、ポリエチレンナフタレート（ＰＥＮ）、ポリエチレン、ポリプロピレンなどで形成したものを挙げることができる。なお、本発明においてはフレキシブル性を有する樹脂フィルムであればこれらに限定されることなく用いることができる。
【００２０】
前記構成における発光層は、前記したようにＯＬＥＤとするのが好ましいが、発光ダイオードとして機能するものであればどのようなものでもよく、これに限定されない。例えば、ＧａＮ、ＧａＡｓ、ＩｎＧａＮ、ＡｌＩｎＧａＰ、ＧａＰ、ＳｉＣ、ＺｎＯ、及び一般式がＩｎXＡｌYＧａ1-X-YＮ（０≦Ｘ、０≦Ｙ、Ｘ＋Ｙ≦１）で表わされるＧａＮ系化合物などから選択される一種又は二種以上を併用した発光層を適用することもできる。
【００２１】
ＬＥＤから発せられる光は、演色性の良い、平均演色評価数（Ｒａ）が８０以上の白色発光であるのが好ましい。平均演色評価数（Ｒａ）とは、ものがどれだけ自然な色に見えるかという程度を数値に表したものである。
【００２２】
また、ＬＥＤから発せられる光は、図示しない色温度調節手段により色温度を調節することができるのが好ましい。このようにすると、ユーザの好みの色温度にて発光させることができる。色温度調節手段は従来公知のものを用いることができる。
【００２３】
発光部１２は、次のような態様で本実施形態に係る鏡に設けることができる。
例えば、図１Ｂ及び図１Ｃに示すように、鏡面部１１の周囲を囲むようにして設けられたフレーム部１５の表面側の全てを発光部１２（図１Ｃ参照）とすることができる。このようにすると、発光面積を大きくすることができるので、照明を明るくすることができる。なお、図１Ａは、図１Ｂ及び図１Ｃに示す鏡１０に設けられたカバー部１４を閉じて鏡面部１１を隠した状態を示している。
【００２４】
また、例えば、図３Ｂ及び図３Ｃに示すように、鏡３０の鏡面部３１の周囲を囲むようにして設けられたフレーム部３５に発光部３２（図３Ｃ参照）を複数設けることができる。このようにすると、発光面積が小さくなる分、消費電力量を小さくすることができる。そのため、ＬＥＤをより長時間発光させることができる。なお、図３Ｃでは、発光部３２の形状を複数の星型に形成している様子を示しているが、発光部３２の形状は任意に決定することができることはいうまでもない。このようにすると、本実施形態に係る鏡３０のデザイン性を向上させることができる。なお、発光部３２の形状は、ＬＥＤ形成時又は形成後に光パターニングを行ったり、形成時に所定形状のマスクを用いたりすることにより、任意に形成することができる。
図３Ａは、図３Ｂ及び図３Ｃに示す鏡３０に設けられたカバー部３４を閉じて鏡面部３１を隠した状態を示している。
【００２５】
さらに、例えば、図４Ｂ及び図４Ｃに示すように、鏡面部４１内の縁部４１ａに発光部４２を設けることもできる。かかる発光部４２にも鏡面部４１と同様の処理をしておけば（つまり、基材の裏面にＡｇ等を蒸着させておけば）、外部から入射された光を反射し、像を写すことが可能になる。従って、周囲が明るいときは図４Ｂに示すように、発光部４２を発光させずに、鏡面部４１全体に像を写すことができる。そのため、身だしなみを整えたり、化粧を行ったりし易くすることができる。
他方、ユーザが必要と感じたとき、例えば、暗いところで身だしなみを整えたり、化粧を行ったりする場合のみ、図４Ｃに示すように、発光部４２を発光させることもできる。
なお、図４Ａは、図４Ｂ及び図４Ｃに示す鏡４０に設けられたカバー部４４を閉じて鏡面部４１を隠した状態を示している。
【００２６】
またさらに、例えば、図５Ｂ及び図５Ｃに示すように、鏡面部５１内の縁部５１ａに発光部５２を複数設けることもできる。図４Ｂ及び図４Ｃに示す例と同じように、かかる発光部５２にも鏡面部５１と同様の処理をしておけば（つまり、基材の裏面にＡｇ等を蒸着させておけば）、外部から入射された光を反射し、像を写すことが可能になる。従って、周囲が明るいときは図５Ｂに示すように、発光部５２（図５Ｃ参照）を発光させずに、鏡面部５１全体に像を写すことができる。そのため、身だしなみを整えたり、化粧を行ったりし易くすることができる。また、図５Ｃに示すように、かかる発光部５２の形状は任意に決定することができる。従って、本実施形態に係る鏡５０のデザイン性を向上させることができる。また、このようにすると、発光面積が小さくなる分、消費電力量を小さくすることができる。そのため、ＬＥＤをより長時間発光させることができる。
なお、図５Ａは、図５Ｂ及び図５Ｃに示す鏡５０に設けられたカバー部５４を閉じて鏡面部５１を隠した状態を示している。
【００２７】
（電池接続部）
図６に示すように、電池接続部６８は、ＬＥＤと、厚さが１ｍｍ以下の薄型電池６０（薄型電池６０の構成等については後述する。）と、の電気的な接続を可能とする。電池接続部６８は、図２及び図６に示すように、薄型電池６０の電池側正極端子６１ａ及び電池側負極端子６６ａと電気的に接続できる装置側正極端子６８ａ及び装置側負極端子６８ｂを有している。この装置側正極端子６８ａ及び装置側負極端子６８ｂはそれぞれＬＥＤの陽極及び負極（いずれも図示せず）と接続される。
【００２８】
図２及び図７に示すように、薄型電池６０の配置位置は、電池接続部６８とともに、ＬＥＤの裏面、つまり、発光部１２の裏面とするのが好ましい。このようにすると、ＬＥＤ（発光部１２）と、薄型電池６０と、をコンパクトに設計することが可能になるとともに、配線等を減らすことができる。従って、鏡１０の小型化及び薄型化を図ることが可能となるだけでなく、断線等を生じ難くすることができるため、製品の信頼性を向上させることができる。
【００２９】
このとき、発光部１２と薄型電池６０は、図７に示すように、貼り合せによって接合するのが好ましい。具体的には、薄型電池６０と発光部１２のそれぞれを封止する封止材７１、７２を接着層７３によって接着している。前記したように、薄型電池６０とＬＥＤ（発光部１２）は電気的に接続されているので、薄型電池６０によってＬＥＤを駆動させて発光させることができる。また、シート状でフレキシブル性を有している薄型電池６０と、同じくシート状でフレキシブル性を有しているＬＥＤ（発光部１２）と、を用いれば、フレキシブル性を有する鏡１０を実現することができる。このような態様とすると、鏡１０を曲げた状態でも発光させることが可能になる。なお、この場合、接着層７３もフレキシブル性を有するものを用いるのが好ましい。そのような樹脂層７３としては、例えば、３Ｍ（登録商標）ＶＨＢ（登録商標）アクリルフォーム構造用接合テープや３Ｍ（登録商標）透明シリコーン／アクリル両面テープなどを用いることができるが、これらに限定されない。
【００３０】
また、図２及び図８に示すように、ＬＥＤ（発光部１２）の一方の面（裏面）に薄型電池６０を積層するのも好ましい。具体的には、ＬＥＤの裏面に、当該ＬＥＤと電気的に接続される薄型電池６０を積層し、ＬＥＤの表面と鏡面部１１の裏面とを接合させ、当該鏡面部１１と封止材８１とにより、ＬＥＤと薄型電池６０を封止する。このような態様によっても、薄型電池６０とＬＥＤは電気的に接続されているので、薄型電池６０によってＬＥＤを駆動させて発光させることができる。また、シート状でフレキシブル性を有している薄型電池６０と、同じくシート状でフレキシブル性を有しているＬＥＤと、を用いれば、フレキシブル性を有する鏡１０を実現することができる。このような態様によっても、鏡１０を曲げた状態で発光させることができる。
【００３１】
（薄型電池）
図６に戻って説明を続ける。図６に示すように、薄型電池６０は、厚さＴが１ｍｍ以下、好ましくは０．５ｍｍ以下である。薄型電池６０は、フレキシブル性を有しているのが好ましい。また、薄型電池６０は、リチウムイオン二次電池又はリチウムイオン一次電池であるのが好ましい。
【００３２】
薄型電池６０がリチウムイオン二次電池である場合、図６に示すように、当該リチウムイオン二次電池６０Ａは、正極集電体６１、正極活物質層６２、電解質層６３、セパレータ６４、電解質層６３、負極活物質層６５、負極集電体６６の各層が積層されて、周囲が封止材６７で封止されて構成されている。また、正極集電体６１には電池側正極端子６１ａが接続され、負極集電体６６には電池側負極端子６６ａが接続されている。電池側正極端子６１ａ及び電池側負極端子６６ａは、封止材６７の外部に延びて形成されている。そして、電池側正極端子６１ａは、ＬＥＤの装置側正極端子６８ａと接続され、電池側負極端子６６ａは、ＬＥＤの装置側負極端子６８ｂと接続されている。
【００３３】
正極集電体６１には、Ａｌなどの従来公知の正極集電体用の材料を使用することができる。
正極活物質層６２には、Ｍｎを含有する正極活物質とバインダと添加剤などを使用する。正極活物質層６２の添加物としては、例えば、導電剤であるアセチレンブラックなどを使用することができる。
電解質層６３には、ＬｉＰＦ6等の電解質を使用することができる。
セパレータ６４には、例えば、ポリプロピレンやポリエチレンなどのポリオレフィンを使用することができる。
負極活物質層６５には、従来公知の負極活物質の材料、例えば、グラファイトとバインダと添加物などを使用する。負極活物質層６５の添加物としては、例えば、増粘剤であるカルボキシメチルセルロース（ＣＭＣ）を使用することができる。
負極集電体６６には、Ｃｕなどの従来公知の負極集電体用の材料を使用することができる。
封止材６７には、多層ＡｌとＰＥＴ（ポリエチレンテレフタレート）フィルムなどの従来公知の封止材の材料を使用することができる。
【００３４】
正極活物質層６２の正極活物質に使用する、Ｍｎを含有する正極活物質としては、例えば、Ｌｉ（Ｍｎ，Ｃｏ，Ｎｉ）Ｏ2、ＬｉＭｎＯ2、Ｌｉ（Ｌｉ，Ｍｎ）1-xＣｏxＯ2やＬｉ2ＭｎＯ3が挙げられる。より好ましくは、Ｌｉ（Ｍｎ，Ｃｏ，Ｎｉ）Ｏ2やＬｉＭｎＯ2などのリチウム過剰のＭｎ酸化物を正極活物質に使用する。Ｍｎを含有する正極活物質を用いることで、正極を高容量とすることができる。
なお、正極活物質として、Ｌｉ（Ｍｎ，Ｃｏ，Ｎｉ）Ｏ2やＬｉＭｎＯ2を用いると、理論容量は１５０ｍＡｈ／ｇ程度となる。また、正極活物質として、リチウムが過剰のＭｎ酸化物であるＬｉ（Ｌｉ，Ｍｎ）1-xＣｏxＯ2やＬｉ2ＭｎＯ3を用いると、理論容量は２５０〜４００ｍＡｈ／ｇ程度にまで向上する。
【００３５】
封止材６７の内部のパッケージ減圧度は、１００〜１０００Ｐａとするのが好ましい。パッケージ減圧度をこのような範囲とすることにより、二次電池を曲げることが可能となる。なお、封止材６７の内部のパッケージ減圧度は、２００〜８００Ｐａとするのがより好ましく、５００Ｐａとするのがさらに好ましい。
【００３６】
より好ましくは、正極活物質層６２及び負極活物質層６５のうちの少なくとも一方に、アクリル系重合体やジエン系重合体を使用したバインダ（柔軟剤）を含有させる。アクリル系重合体やジエン系重合体を使用すると、高い柔軟性を得ることができる。柔軟剤の含有量は、例えば、３０質量％などとすると好ましいが、これに限定されない。
【００３７】
以上に説明した薄型電池６０（リチウムイオン二次電池６０Ａ）は、正極活物質層６２の正極活物質にＭｎを含有し、封止材６７の内部のパッケージ減圧度が１００〜１０００Ｐａであり、正極活物質層６２及び負極活物質層６５にバインダー（柔軟剤）を含有しているため、高い容量と、十分なフレキシブル性を有している。
【００３８】
以上に説明した薄型電池６０（リチウムイオン二次電池６０Ａ）は、太陽電池シート等のように、光が照射されることで電源となる電子材料のシートと組み合わせて用いることが可能である。このような構成とした場合には、光が照射されて発生した電気エネルギーを、薄型電池６０（特にリチウムイオン二次電池６０Ａ）に蓄積することが可能になる。
【００３９】
他方、薄型電池がリチウムイオン一次電池である場合、負極活物質の材料をＬｉとする以外は、前記した二次電池と同様の構成とすることにより具現することができる。
【００４０】
本発明においては、図９に示すように、薄型電池６０（図９において図示せず）にフレキシブル性を持たせるとともに、鏡面部９１と発光部９２（ＬＥＤ、ＯＬＥＤ）にもフレキシブル性を持たせると、全体としてもフレキシブルに動作可能な照明装置が付いた鏡９０を提供することができる。フレキシブルに動作可能な照明装置が付いた鏡９０は、形状が固定されていないので、ユーザが持って運ぶ際にも割れる心配が殆どない。また、従来の鏡のように硬質な平板状ではないから、他の荷物の影響を受けることも、他の荷物に影響を与えることもなく、気軽に持ち運ぶことができる。
【００４１】
また、フレキシブルに動作可能な照明装置が付いた鏡９０は、例えば、図１０に示すように、曲面を有する台座１０１の曲面部１０２に設けることにより凹面鏡１００、つまり、拡大鏡を形成することができる。
【００４２】
以上に説明したように、本発明によれば、厚さが１ｍｍ以下の薄型電池を用いることができるので、持ち運びができ、軽くて薄い鏡を提供することができる。そのため、より気軽に暗いところでも身だしなみを整えたり、化粧を行ったりすることが可能となる。また、本発明によれば、薄型電池にフレキシブル性を持たせるとともに、鏡面部とＬＥＤ（特にＯＬＥＤ）にもフレキシブル性を持たせることにより、全体としてもフレキシブルに動作可能な照明装置付き鏡を提供することができる。
【符号の説明】
【００４３】
１０、３０、４０、５０、９０  鏡
１１、３１、４１、５１  鏡面部
１２、３２、４２、５２  発光部
６０    薄型電池
６８    電池接続部
【図１Ａ】
2015092991.tif 000003
【図１Ｂ】
2015092991.tif 000004
【図１Ｃ】
2015092991.tif 000005
【図２】
2015092991.tif 000006
【図３Ａ】
2015092991.tif 000007
【図３Ｂ】
2015092991.tif 000008
【図３Ｃ】
2015092991.tif 000009
【図４Ａ】
2015092991.tif 000010
【図４Ｂ】
2015092991.tif 000011
【図４Ｃ】
2015092991.tif 000012
【図５Ａ】
2015092991.tif 000013
【図５Ｂ】
2015092991.tif 000014
【図５Ｃ】
2015092991.tif 000015
【図６】
2015092991.tif 000016
【図７】
2015092991.tif 000017
【図８】
2015092991.tif 000018
【図９】
2015092991.tif 000019
【図１０】
2015092991.tif 000020